(57)【要約】【課題】摩擦操作する際、押圧操作部分を確認することが不要になり、摩擦操作を迅速に開始でき、且つ、摩擦操作時、比較的小さい把持力で、摩擦部の前後方向の移動を確実に阻止できる熱変色性筆記具を提供する。【解決手段】ノック部材７の側壁外面に、前方に延び且つ径方向に弾性変形可能なクリップ７１が設けられ、クリップ７１の内面に、径方向内方に突出する凸部７４が設けられ、軸筒２の側壁に、前記凸部７４と係合可能な凹部２２が設けられ、摩擦部８を用いて摩擦操作しないとき、クリップ７１の凸部７４が軸筒２側壁の凹部２２に非係合状態にあり、摩擦部８を用いて摩擦操作するとき、クリップ７１が径方向内方に押圧されることにより、クリップ７１が径方向内方に変位され、クリップ７１の凸部７４が軸筒２側壁の凹部２２に係合され、軸筒２に対する摩擦部８の後方移動が阻止される。【選択図】  図３
2018108662.tif 000002
【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端部にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備え、前記ノック部材の後端部外面に、前記熱変色性インキの筆跡を摩擦しその際に生じる摩擦熱で前記熱変色性インキの筆跡を熱変色可能な摩擦部を設けた熱変色性筆記具であって、
前記ノック部材の側壁外面に、前方に延び且つ径方向に弾性変形可能なクリップが設けられ、前記クリップの内面に、径方向内方に突出する凸部が設けられ、前記軸筒の側壁に、前記凸部と係合可能な凹部が設けられ、前記摩擦部を用いて摩擦操作しないとき、前記クリップの凸部が前記軸筒側壁の凹部に非係合状態にあり、前記摩擦部を用いて摩擦操作するとき、前記クリップが径方向内方に押圧されることにより、前記クリップが径方向内方に変位され、前記クリップの凸部が前記軸筒側壁の凹部に係合され、前記軸筒に対する前記摩擦部の後方移動が阻止されることを特徴とする熱変色性筆記具。
【請求項２】
前記凹部が前記軸筒側壁に前後に少なくとも２か所に形成され、ペン先突出状態において前記摩擦部を用いて摩擦操作する時、前記前側の凹部と前記凸部とが係合され、ペン先没入状態において前記摩擦部を用いて摩擦操作する時、前記後側の凹部と前記凸部とが係合される請求項１に記載の熱変色性筆記具。
【請求項３】
前記凸部の前後方向の移動範囲において、軸筒の側壁外面に複数の凹部が鋸刃状に連続して設けられる請求項１または２に記載の熱変色性筆記具。
【発明の詳細な説明】
【技術分野】
【０００１】
本発明は、熱変色性筆記具に関する。
【背景技術】
【０００２】
従来、例えば、特許文献１には、筆記体の内部に熱変色性インキを収容し、前記筆記体の前端に前記熱変色性インキが吐出可能なペン先を設け、前記筆記体を軸筒内に前後方向に移動可能に収容し、前記軸筒の後端部にノック部材を設け、前記ノック部材を前方に押圧することによりペン先を軸筒の前端孔から突出状態にし、再度、前記ノック部材を前方に押圧することにより前記ペン先突出状態を解除しペン先を軸筒の前端孔より軸筒内に没入状態にする出没機構を備え、前記ノック部材の後端部外面に、前記熱変色性インキの筆跡を摩擦しその際に生じる摩擦熱で前記熱変色性インキの筆跡を熱変色可能な摩擦部を設けた熱変色性筆記具であって、前記軸筒側壁に、径方向内方に押圧操作可能な操作部を設け、前記操作部の径方向内面に規制部を設け、前記摩擦部を用いた摩擦操作の際、前記操作部を径方向内方に押圧操作することにより、前記操作部を径方向内方に変位させ、前記操作部の径方向内方の規制部が前記ノック部材または前記摩擦部に接触し、前記軸筒に対する前記摩擦部の後方移動を阻止してなる熱変色性筆記具が開示されている。    
【０００３】
特許文献１の熱変色性筆記具は、具体的には、前記操作部が、前記軸筒の側壁に設けられる、径方向に弾性変形可能な弾性壁部よりなり、前記弾性壁部の径方向内面に前記規制部を設けた構成（特許文献１の図１）、及び前記軸筒の側壁外面にクリップを設け、前記クリップの基部より後方に操作部を突出させ、前記操作部を径方向外方に付勢することによって前記クリップの前端部を軸筒側壁に圧接させ、前記操作部の径方向内面に前記規制部を設けた構成（特許文献１の図４）が記載されている。
【先行技術文献】
【特許文献】
【０００４】
【特許文献１】特開２０１２−９１４７３号公報
【発明の概要】
【発明が解決しようとする課題】
【０００５】
前記特許文献１の熱変色性筆記具は、操作部の操作部分が小さく、操作部分を確認してから押圧操作するため、摩擦操作を迅速に開始できない。また、前記特許文献１の熱変色性筆記具は、規制部を径方向内方に押圧操作する際に、径方向外方への付勢に抗して押圧しなければならず、比較的大きな把持力が必要であり、小さい押圧力では摩擦部の前後方向の移動を十分に阻止できないおそれがある。
【０００６】
本発明は、前記従来の問題点を解決するものであって、摩擦操作する際、押圧操作部分を確認することが不要になり、摩擦操作を迅速に開始でき、且つ、摩擦操作時、比較的小さい把持力で、摩擦部の前後方向の移動を確実に阻止できる熱変色性筆記具を提供しようとするものである。
【０００７】
尚、本発明において、「前」とはペン体側を指し、「後」とはその反対側を指す。本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００８】
本願の第１の発明に係る熱変色性筆記具は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端部にノック部材７を設け、前記ノック部材７を前方に押圧することによりペン先３１を軸筒２の前端孔２１から突出状態にし、再度、前記ノック部材７を前方に押圧することにより前記ペン先突出状態を解除しペン先３１を軸筒２の前端孔２１より軸筒２内に没入状態にする出没機構を備え、前記ノック部材７の後端部外面に、前記熱変色性インキの筆跡を摩擦しその際に生じる摩擦熱で前記熱変色性インキの筆跡を熱変色可能な摩擦部８を設けた熱変色性筆記具であって、前記ノック部材７の側壁外面に、前方に延び且つ径方向に弾性変形可能なクリップ７１が設けられ、前記クリップ７１の内面に、径方向内方に突出する凸部７４が設けられ、前記軸筒２の側壁に、前記凸部７４と係合可能な凹部２２が設けられ、前記摩擦部８を用いて摩擦操作しないとき、前記クリップ７１の凸部７４が前記軸筒２側壁の凹部２２に非係合状態にあり、前記摩擦部８を用いて摩擦操作するとき、前記クリップ７１が径方向内方に押圧されることにより、前記クリップ７１が径方向内方に変位され、前記クリップ７１の凸部７４が前記軸筒２側壁の凹部２２に係合され、前記軸筒２に対する前記摩擦部８の後方移動が阻止されることを要件とする。
【０００９】
前記第１の発明に係る熱変色性筆記具１は、前記構成により、摩擦部８を用いて摩擦操作する際、クリップ７１とともに軸筒２側壁を握るだけで、クリップ７１が径方向内方に押圧され、クリップ７１が径方向内方に変位され、クリップ７１の凸部７４が軸筒２側壁の凹部２２に係合される。それにより、摩擦操作時、押圧操作部分を確認することを不要にし、摩擦操作を迅速に開始でき、且つ、摩擦操作時、比較的小さい把持力で、摩擦部８の前後方向の移動を確実に阻止できる。
【００１０】
本願の第２の発明に係る熱変色性筆記具１は、前記第１の発明に係る熱変色性筆記具において、前記凹部２２が前記軸筒２側壁に前後に少なくとも２か所に形成され、ペン先突出状態において前記摩擦部８を用いて摩擦操作する時、前記前側の凹部２２ａと前記凸部７４とが係合され、ペン先没入状態において前記摩擦部８を用いて摩擦操作する時、前記後側の凹部２２ｂと前記凸部７４とが係合されることを要件とする。
【００１１】
前記第２の発明に係る熱変色性筆記具１は、前記構成により、ペン先突出状態、ペン先没入状態の何れの状態においても、摩擦操作時、押圧操作部分を確認することが不要になり、摩擦操作を迅速に開始でき、且つ、摩擦操作時、比較的小さい把持力で、摩擦部８の前後方向の移動を確実に阻止できる。
【００１２】
本願の第３の発明に係る熱変色性筆記具１は、前記第１または第２の発明に係る熱変色性筆記具において、前記凸部７４の前後方向の移動範囲において、軸筒２の側壁外面に複数の凹部２２が鋸刃状に連続して設けられることを要件とする。
【００１３】
前記第３の発明に係る熱変色性筆記具１は、前記構成により、前記凸部７４の前後方向の移動範囲における任意の位置で、凸部７４と凹部２２が係合される。その結果、軸筒２に対するクリップ７１の前後方向の位置が何れの状態であっても、摩擦操作時、押圧操作部分を確認することが不要になり、摩擦操作を迅速に開始でき、且つ、摩擦操作時、比較的小さい把持力で、摩擦部８の前後方向の移動を確実に阻止できる。
【発明の効果】
【００１４】
本発明の熱変色性筆記具は、摩擦部を用いて摩擦操作する際、押圧操作部分を確認することが不要になり、摩擦操作を迅速に開始でき、且つ、摩擦操作時、比較的小さい把持力で、摩擦部の前後方向の移動を確実に阻止できる。
【図面の簡単な説明】
【００１５】
【図１】本発明の第１の実施の形態のペン先没入状態を示す縦断面図である。
【図２】図１のペン先突出状態を示す縦断面図である。
【図３】図１の要部拡大縦断面図である。
【図４】図１の出没機構を示す分解図である。
【図５】本発明の第２の実施の形態のペン先没入状態を示す縦断面図である。
【図６】図５のペン先突出状態を示す縦断面図である。
【図７】図５の要部拡大縦断面図である。
【発明を実施するための形態】
【００１６】
本発明の筆記具の実施の形態を図面に従って説明する。
【００１７】
＜第１の実施の形態＞
本発明の第１の実施の形態を図１乃至図４に示す。
本実施の形態の熱変色性筆記具１は、軸筒２と、該軸筒２内に収容される筆記体３と、該筆記体３のペン先３１を軸筒２の前端孔２１より出没自在にさせる出没機構とを備える。軸筒２は、円筒状の前軸２ａと、該前軸２ａの後端に連結される円筒状の後軸２ｂとからなる。後軸２ｂの側壁には、後軸２ｂの後端より後方に開放され且つ前後方向に延びるスライド孔２３が形成される。
【００１８】
筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。
【００１９】
ペン先３１は、例えば、前端に回転可能にボールを抱持した金属製のボールペンのみからなる構成、またはボールペンチップの後部外面を保持した合成樹脂製のペン先ホルダーからなる構成のいずれであってもよい。また、インキ収容管３２の後端開口部に、インキ収容管３２と外部とが通気可能な通気孔を備えた尾栓を取り付けてもよい。
【００２０】
出没機構（図４）は、回転カム機構を用いたノック式出没機構であり、軸筒２内面（後軸２ｂ内面）に形成されたカム部４と係合し且つ筆記体３の後端と当接する回転部材５と、回転部材５及びカム部４と係合するカム部材６と、カム部材６と連結されるノック部材７と、軸筒２内に収容され且つ筆記体３を後方に付勢する弾発体（例えば圧縮コイルスプリング・図示せず）とからなる。本実施の形態の出没機構は、ペン先突出操作及びペン先没入操作のいずれもがノック部材７を前方に押圧する操作のダブルノック式である。
【００２１】
カム部４は、前方に突出する鋸歯状の複数のカム歯４１と、該カム歯４１間に形成され、回転部材５が係合するカム溝４２とを備える。回転部材５は、その外面に長手方向に延びる３本の突条５１を備え、該突条５１が、カム部４のカム溝４２と係合される。カム部材６は、その前端部に、カム部４のカム溝内を摺動するガイド突条６１と、回転部材５の突条５１の後端と係合するカム歯６２とを備える。
【００２２】
・ノック部材
ノック部材７は、前後方向に延びるクリップ７１と、クリップ７１の後部に一体に連設されたクリップ基部７２（突出部）と、クリップ基部７２が一体に連設された有底の筒状の本体部７３とを備え、合成樹脂から形成される。クリップ７１の内面には、径方向内方に突出する凸部７４が一体に形成される。クリップ７１は、径方向に弾性変形可能である。クリップ７１は、非使用時及びノック部材７の前後方向の操作時、軸筒２外面と非係合状態または軸筒２外面と非接触状態にある。
【００２３】
軸筒２の側壁に、二つの凹部（前側の凹部２２ａ、後側の凹部２２ｂ）が、前後に離れた位置に形成される。前側の凹部２２ａ及び後側の凹部２２ｂは、互いに同一の形状を有し且つ凸部７４と係合可能な形状を有する。ペン先突出状態において、凸部７４と前側の凹部２２ａとが係合可能であり、ペン先没入状態において、凸部７４と後側の凹部２２ｂと係合可能である。
【００２４】
クリップ基部７２は軸筒２のスライド孔２３に挿入可能である。ペン先没入状態からペン先突出状態にする際、ノック部材７を前方に押圧操作すると、クリップ基部７２がスライド孔２３に挿入される。
【００２５】
ノック部材７の本体部７３の後端部には、弾性材料（例えば、シリコーン樹脂、ＳＢＳ樹脂、ＳＥＢＳ樹脂等）からなる摩擦部８が取り付けられる。ノック部材７の本体部７３の後端面には後方に突出する棒状凸部７５が形成される。棒状凸部７５の外面には環状の外向突起が形成される。棒状凸部７５の外面に、筒状の弾性材料からなる摩擦部８が圧入により取り付けられる。棒状凸部７５に摩擦部８が取り付けられた状態において、棒状凸部７５の外面の環状の外向突起が、摩擦部８の内面の環状の内向突起と乗り越え係止され、摩擦操作時に摩擦部８が棒状凸部７５から脱落することを防止できる。棒状凸部７５の後端は、摩擦部８の後端面より前方に位置される。即ち、棒状凸部７５の後端は、摩擦部８の後端面より後方に突出されていない。それにより、ノック部材７を出没操作する際、指が棒状凸部７５に接触せず、指と摩擦部８後端面との滑りの無い安定した接触が可能となる。なお、摩擦部８の取付構造は、これに限らない。
【００２６】
摩擦部８を用いた摩擦操作の際、クリップ７１が径方向内方に押圧されることにより、クリップ７１が径方向内方に変位され、クリップ７１の凸部７４が軸筒２側壁の前側の凹部２２ａ、または後側の凹部２２ｂに係合され、軸筒２に対する摩擦部８の後方移動が阻止される。
【００２７】
第１の実施の形態の熱変色性筆記具１は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端部にノック部材７を設け、前記ノック部材７を前方に押圧することによりペン先３１を軸筒２の前端孔２１から突出状態にし、再度、前記ノック部材７を前方に押圧することにより前記ペン先突出状態を解除しペン先３１を軸筒２の前端孔２１より軸筒２内に没入状態にする出没機構を備え、前記ノック部材７の後端部外面に、前記熱変色性インキの筆跡を摩擦しその際に生じる摩擦熱で前記熱変色性インキの筆跡を熱変色可能な摩擦部８を設けた熱変色性筆記具であって、前記ノック部材７の側壁外面に、前方に延び且つ径方向に弾性変形可能なクリップ７１が設けられ、前記クリップ７１の内面に、径方向内方に突出する凸部７４が設けられ、前記軸筒２の側壁に、前記凸部７４と係合可能な凹部２２が設けられ、前記摩擦部８を用いて摩擦操作しないとき、前記クリップ７１の凸部７４が前記軸筒２側壁の凹部２２に非係合状態にあり、前記摩擦部８を用いて摩擦操作するとき、前記クリップ７１が径方向内方に押圧されることにより、前記クリップ７１が径方向内方に変位され、前記クリップ７１の凸部７４が前記軸筒２側壁の凹部２２に係合され、前記軸筒２に対する前記摩擦部８の後方移動が阻止される。
【００２８】
前記第１の実施の形態の熱変色性筆記具１は、前記構成により、摩擦部８を用いて摩擦操作する際、クリップ７１とともに軸筒２側壁を握るだけで、クリップ７１が径方向内方に押圧され、クリップ７１が径方向内方に変位され、クリップ７１の凸部７４が軸筒２側壁の凹部２２に係合される。それにより、摩擦操作時、押圧操作部分を確認することを不要にし、摩擦操作を迅速に開始でき、且つ、摩擦操作時、比較的小さい把持力で、摩擦部８の前後方向の移動を確実に阻止できる。
【００２９】
また、第１の実施の形態の熱変色性筆記具１は、前記凹部２２が前記軸筒２側壁に前後に少なくとも２か所に形成され、ペン先突出状態において前記摩擦部８を用いて摩擦操作する時、前記前側の凹部２２ａと前記凸部７４とが係合され、ペン先没入状態において前記摩擦部８を用いて摩擦操作する時、前記後側の凹部２２ｂと前記凸部７４とが係合される。それにより、ペン先突出状態、ペン先没入状態の何れの状態においても、摩擦操作時、押圧操作部分を確認することが不要になり、摩擦操作を迅速に開始でき、且つ、摩擦操作時、比較的小さい把持力で、摩擦部８の前後方向の移動を確実に阻止できる。
【００３０】
＜第２の実施の形態＞
本発明の第２の実施の形態を図５乃至図７に示す（出没機構は図４と同様である）。
本実施の形態の熱変色性筆記具１は、軸筒２と、該軸筒２内に収容される筆記体３と、該筆記体３のペン先３１を軸筒２の前端孔２１より出没自在にさせる出没機構とを備える。軸筒２は、円筒状の前軸２ａと、該前軸２ａの後端に連結される円筒状の後軸２ｂとからなる。後軸２ｂの側壁には、後軸２ｂの後端より後方に開放され且つ前後方向に延びるスライド孔２３が形成される。
【００３１】
筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。
【００３２】
ペン先３１は、例えば、前端に回転可能にボールを抱持した金属製のボールペンのみからなる構成、またはボールペンチップの後部外面を保持した合成樹脂製のペン先ホルダーからなる構成のいずれであってもよい。また、インキ収容管３２の後端開口部に、インキ収容管３２と外部とが通気可能な通気孔を備えた尾栓を取り付けてもよい。
【００３３】
出没機構（図４）は、回転カム機構を用いたノック式出没機構であり、軸筒２内面（後軸２ｂ内面）に形成されたカム部４と係合し且つ筆記体３の後端と当接する回転部材５と、回転部材５及びカム部４と係合するカム部材６と、カム部材６と連結されるノック部材７と、軸筒２内に収容され且つ筆記体３を後方に付勢する弾発体（例えば圧縮コイルスプリング）とからなる。本実施の形態の出没機構は、ペン先突出操作及びペン先没入操作のいずれもがノック部材７を前方に押圧する操作のダブルノック式である。
【００３４】
カム部４は、前方に突出する鋸歯状の複数のカム歯４１と、該カム歯４１間に形成され、回転部材５が係合するカム溝４２とを備える。回転部材５は、その外面に長手方向に延びる３本の突条５１を備え、該突条５１が、カム部４のカム溝４２と係合される。カム部材６は、その前端部に、カム部４のカム溝４２内を摺動するガイド突条６１と、回転部材５の突条５１の後端と係合するカム歯６２とを備える。
【００３５】
・ノック部材
ノック部材７は、前後方向に延びるクリップ７１と、クリップ７１の後部に一体に連設されたクリップ基部７２（突出部）と、クリップ基部７２が一体に連設された有底の筒状の本体部７３とを備え、合成樹脂から形成される。クリップ７１の内面には、径方向内方に突出する二山状の凸部７４が一体に形成される。クリップ７１は、径方向に弾性変形可能である。クリップ７１は、非使用時及びノック部材７の前後方向の操作時、軸筒２外面と非係合状態または軸筒２外面と非接触状態にある。
【００３６】
軸筒２の側壁外面に、凸部７４の前後方向に移動する全範囲（ノック部材７のノックストロークの対応する範囲）において、複数の凹部２２が鋸刃状に連続的に設けられる。鋸刃状の複数の凹部２２に、二山状の凸部７４が係合可能である。二山状の凸部７４の前後方向の移動範囲における軸筒２側壁に対する任意の位置で、二山状の凸部７４が鋸刃状の複数の凹部２２の何れかと係合される。その結果、軸筒２に対するクリップ７１の前後方向の位置が何れの状態であっても、摩擦操作時、押圧操作部分を確認することが不要になり、摩擦操作を迅速に開始でき、且つ、摩擦操作時、比較的小さい把持力で、摩擦部８の前後方向の移動を確実に阻止できる。
【００３７】
クリップ基部７２は軸筒２のスライド孔２３に挿入可能である。ペン先没入状態からペン先突出状態にする際、ノック部材７を前方に押圧操作すると、クリップ基部７２がスライド孔２３に挿入される。
【００３８】
ノック部材７の本体部７３の後端面には、弾性材料（例えば、シリコーン樹脂、ＳＢＳ樹脂、ＳＥＢＳ樹脂等）からなる摩擦部８が取り付けられる。ノック部材７の本体部７３の後端面には後方に突出する棒状凸部７５が形成される。棒状凸部７５の外面には環状の外向突起が形成される。棒状凸部７５の外面に、筒状の弾性材料からなる摩擦部８が圧入により取り付けられる。棒状凸部７５に摩擦部８が取り付けられた状態において、棒状凸部７５の外面の環状の外向突起が、摩擦部８の内面の環状の内向突起と乗り越え係止され、摩擦操作時に摩擦部８が棒状凸部７５から脱落することを防止できる。棒状凸部７５の後端は、摩擦部８の後端面より前方に位置される。即ち、棒状凸部７５の後端は、摩擦部８の後端面より後方に突出されていない。それにより、ノック部材７を出没操作する際、指が棒状凸部７５に接触せず、指と摩擦部８後端面との滑りの無い安定した接触が可能となる。なお、摩擦部８の取付構造は、これに限らない。
【００３９】
摩擦部８を用いた摩擦操作の際、クリップ７１が径方向内方に押圧されることにより、クリップ７１が径方向内方に変位され、クリップ７１の二山状の凸部７４が軸筒２側壁の鋸刃状の複数の凹部（前側の凹部２２ａ、後側の凹部２２ｂを含む）の何れかに係合され、軸筒２に対する摩擦部８の後方移動が阻止される。
【００４０】
第２の実施の形態の熱変色性筆記具１は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端部にノック部材７を設け、前記ノック部材７を前方に押圧することによりペン先３１を軸筒２の前端孔２１から突出状態にし、再度、前記ノック部材７を前方に押圧することにより前記ペン先突出状態を解除しペン先３１を軸筒２の前端孔２１より軸筒２内に没入状態にする出没機構を備え、前記ノック部材７の後端部外面に、前記熱変色性インキの筆跡を摩擦しその際に生じる摩擦熱で前記熱変色性インキの筆跡を熱変色可能な摩擦部８を設けた熱変色性筆記具であって、前記ノック部材７の側壁外面に、前方に延び且つ径方向に弾性変形可能なクリップ７１が設けられ、前記クリップ７１の内面に、径方向内方に突出する凸部７４が設けられ、前記軸筒２の側壁に、前記凸部７４と係合可能な凹部２２が設けられ、前記摩擦部８を用いて摩擦操作しないとき、前記クリップ７１の凸部７４が前記軸筒２側壁の凹部２２に非係合状態にあり、前記摩擦部８を用いて摩擦操作するとき、前記クリップ７１が径方向内方に押圧されることにより、前記クリップ７１が径方向内方に変位され、前記クリップ７１の凸部７４が前記軸筒２側壁の凹部２２に係合され、前記軸筒２に対する前記摩擦部８の後方移動が阻止される。
【００４１】
前記第２実施の形態の熱変色性筆記具１は、前記構成により、摩擦部８を用いて摩擦操作する際、クリップ７１とともに軸筒２側壁を握るだけで、クリップ７１が径方向内方に押圧され、クリップ７１が径方向内方に変位され、クリップ７１の凸部７４が軸筒２側壁の凹部２２に係合される。それにより、摩擦操作時、押圧操作部分を確認することを不要にし、摩擦操作を迅速に開始でき、且つ、摩擦操作時、比較的小さい把持力で、摩擦部８の前後方向の移動を確実に阻止できる。
【００４２】
また、第２の実施の形態の熱変色性筆記具１は、前記凹部２２が前記軸筒２側壁に前後に少なくとも２か所に形成され、ペン先突出状態において前記摩擦部８を用いて摩擦操作する時、前記前側の凹部２２ａと前記凸部７４とが係合され、ペン先没入状態において前記摩擦部８を用いて摩擦操作する時、前記後側の凹部２２ｂと前記凸部７４とが係合される。それにより、ペン先突出状態、ペン先没入状態の何れの状態においても、摩擦操作時、押圧操作部分を確認することが不要になり、摩擦操作を迅速に開始でき、且つ、摩擦操作時、比較的小さい把持力で、摩擦部８の前後方向の移動を確実に阻止できる。
【００４３】
また、第２の実施の形態の熱変色性筆記具１は、凸部７４の前後方向の移動範囲において、軸筒２の側壁外面に複数の凹部２２が鋸刃状に連続して設けられる。それにより、凸部７４の前後方向の移動範囲における任意の位置で、凸部７４と凹部２２が係合される。その結果、軸筒２に対するクリップ７１の前後方向の位置が何れの状態であっても、摩擦操作時、押圧操作部分を確認することが不要になり、摩擦操作を迅速に開始でき、且つ、摩擦操作時、比較的小さい把持力で、摩擦部８の前後方向の移動を確実に阻止できる。
【符号の説明】
【００４４】
１  熱変色性筆記具
２  軸筒
２１  前端孔
２２  凹部
２２ａ  前側の凹部
２２ｂ  後側の凹部
２３  スライド孔
２ａ  前軸
２ｂ  後軸
３  筆記体
３１  ペン先
３２  インキ収容管
４  カム部
４１  カム歯
４２  カム溝
５  回転部材
５１  突条
６  カム部材
６１  ガイド突条
６２  カム歯
７  ノック部材
７１  クリップ
７２  クリップ基部
７３  本体部
７４  凸部
７５  棒状凸部
８  摩擦部
【図１】
2018108662.tif 000003
【図２】
2018108662.tif 000004
【図３】
2018108662.tif 000005
【図４】
2018108662.tif 000006
【図５】
2018108662.tif 000007
【図６】
2018108662.tif 000008
【図７】
2018108662.tif 000009